(57)【要約】      （修正有）【課題】ランニングコストをかけずに地中熱を利用して、農作物の成長等のニーズに応じた室内温度調整を行うことができる、簡易型ハウスを提供する。【解決手段】基礎構造２が、有底の管形状を有する基礎外装管２２と、基礎外装管２２内に配置されるとともにその下端側で基礎外装管内と連通する基礎内装管とによって構成されてなる基礎杭２１を有するとともに、側面骨組構造３、または側面骨組構造および屋根骨組構造が、基礎外装管２２に接続され所定の高さまで形成される地上外装管９１と、基礎内装管に接続されるとともに地上外装管９１内に配置され、かつその上端側で地上外装管内と連通する地上内装管とによって構成されてなる熱交換パイプを有しており、基礎杭２１内および熱交換パイプ内に熱交換液を満たしている。【選択図】図１
0003203197.tif 000002
【実用新案登録請求の範囲】
【請求項１】
簡易的な骨組構造を有する簡易型ハウスであって、
設置場所の外縁に沿って設置される基礎構造と、これら基礎構造に沿って地上に設置される側面骨組構造と、この側面骨組構造の上に設置される屋根骨組構造とを有し、
前記基礎構造が、有底の管形状を有する基礎外装管と、この基礎外装管内に配置されるとともにその下端側で前記基礎外装管内と連通する基礎内装管とによって構成されてなる基礎杭を有するとともに、
前記側面骨組構造、または当該側面骨組構造および前記屋根骨組構造が、前記基礎外装管に接続され所定の高さまで形成される地上外装管と、前記基礎内装管に接続されるとともに前記地上外装管内に配置され、かつその上端側で前記地上外装管内と連通する地上内装管とによって構成されてなる熱交換パイプを有しており、
前記基礎杭内および前記熱交換パイプ内に熱交換液を満たしている、前記簡易型ハウス。
【請求項２】
前記側面骨組構造および前記屋根骨組構造を構成する骨組の一部または全部が前記熱交換パイプによって構成されている、請求項１に記載の簡易型ハウス。
【請求項３】
前記側面骨組構造および前記屋根骨組構造におけるそれぞれの内側面および外側面には、これらを覆う透明フィルムまたは半透明フィルムからなるフィルム体と、このフィルム体を昇降可能に吊設するフィルム昇降手段とを有する、請求項１または請求項２に記載の簡易型ハウス。
【請求項４】
前記側面骨組構造および／または前記屋根骨組構造における内側面には、開閉可能な遮光カーテンが設けられている、請求項１から請求項３のいずれかに記載の簡易型ハウス。
【請求項５】
前記側面骨組構造および／または前記屋根骨組構造における内側面には、開閉可能な断熱カーテンが設けられている、請求項１から請求項４のいずれかに記載の簡易型ハウス。
【請求項６】
前記側面骨組構造の内側面には、昇降可能に吊設されているとともに、降下させた状態において地表面を覆うことが可能な長さに形成された保温垂れカーテンが設けられている、請求項１から請求項５のいずれかに記載の簡易型ハウス。
【考案の詳細な説明】
【技術分野】
【０００１】
本考案は、農作物育成等に用いられるビニールハウスにおいて、冷暖房の熱源として地中熱を利用する簡易型ハウスに関するものである。
【背景技術】
【０００２】
ビニールハウスは、立体的に組み立てられた鋼管等の骨組み構造をビニールフィルムで覆うことによって形成される簡易的な構造物である。骨組み構造を覆う前記ビニールフィルムは、室内に太陽光を透過させることができるとともに、室内と室外との空気の流通を遮断することができる。よって、前記ビニールハウスは、室内の気温を室外の気温に比べて温暖にすることができるとともに当該温暖な気温をある程度維持することができる。このことから、ビニールハウスは、主に、温暖な気候条件を好む農作物の育成に用いられている。
【０００３】
しかし、従来のビニールハウスは、室内と室外とが１枚のビニールシートを隔てただけの構造であるため、室外の気温変化は室内に伝わり易く、室外気温の急激な変化によって室内の育成環境は簡単に乱されてしまう。このような場合、従来では冷暖房機器によって室内温度の維持を図っているが、最適な気温を維持するには複雑な温度管理が必要であるとともに、多大なランニングコストがかかってしまう。また、従来の温度管理は、外気温が低い場合における暖房がメインであったが、近年では、気候変動が激しく夏季の猛暑対策も必要となっている。
【０００４】
ところで、地中は、所定の深さ以上になると年間の温度変化がほぼ一定となる。一般的に地中の温度は、外気温に比べて冬は暖かく夏は冷たくなる。そのため、冷暖房のランニングコストを削減するため、その熱源として地中熱を利用する考案が提案されている。
【０００５】
例えば、特開２０１５−９４４８６号公報には、外部から空気を取り込む給気用パイプと、外部へ空気を排出する排気用パイプと、地中に埋設され、一方の端部が前記給気用パイプに接続され、他方の端部が前記排気用パイプに接続され、螺旋状に延在するように構成された熱交換パイプと、前記給気用パイプ、前記熱交換パイプおよび前記排気用パイプ内に配設された可撓性の線状の埋め込み部材とを有し、前記埋め込み部材は、前記給気用パイプまたは前記排気用パイプの少なくとも一方から取り出しが可能である、地中熱交換システムが提案されている（特許文献１）。この特許文献１によれば、前記給気用パイプまたは前記排気用パイプに吸引装置または送風装置を設けることで、ビニールハウス内で熱交換された空気を循環させることができ、前記ビニールハウス等の施設内の温度を管理することができるとされている。
【先行技術文献】
【特許文献】
【０００６】
【特許文献１】特開２０１５−９４４８６号公報
【考案の概要】
【考案が解決しようとする課題】
【０００７】
しかしながら、特許文献１に記載された考案においては、空気は液体等に比べて熱容量が極端に少ないため、空気を循環させても十分に地中熱を採取したり、採取した熱を熱源として供給することができないという問題がある。また、空気は吸引装置または送風装置によって強制的に循環させており、熱源のコストはかからないものの、ランニングコストがかかるという問題もある。
【０００８】
本考案は、このような問題点を解決するためになされたものであって、ランニングコストをかけずに地中熱を利用して、農作物の成長等のニーズに応じた室内温度調整を行うことができる、簡易型ハウスを提供することを目的としている。
【課題を解決するための手段】
【０００９】
本考案に係る簡易型ハウスは、ハウス内の温度管理に多大なランニングコストがかかるという課題を解決するためのものであって、設置場所の外縁に沿って設置される基礎構造と、これら基礎構造に沿って地上に設置される側面骨組構造と、この側面骨組構造の上に設置される屋根骨組構造とを有し、前記基礎構造が、有底の管形状を有する基礎外装管と、この基礎外装管内に配置されるとともにその下端側で前記基礎外装管内と連通する基礎内装管とによって構成されてなる基礎杭を有するとともに、前記側面骨組構造、または当該側面骨組構造および前記屋根骨組構造が、前記基礎外装管に接続され所定の高さまで形成される地上外装管と、前記基礎内装管に接続されるとともに前記地上外装管内に配置され、かつその上端側で前記地上外装管内と連通する地上内装管とによって構成されてなる熱交換パイプを有しており、前記基礎杭内および前記熱交換パイプ内に熱交換液を満たしている。
【００１０】
また、本考案の一態様として、地中熱を利用する構成を備えたことによる構造の複雑化およびコスト上昇という課題を解決するために、前記側面骨組構造および前記屋根骨組構造を構成する骨組の一部または全部が前記熱交換パイプによって構成されていてもよい。
【００１１】
さらに、本考案の一態様として、室外気温の急激な変化によって地中熱によって管理された室内の温度環境が乱されるという課題を解決するために、前記側面骨組構造および前記屋根骨組構造におけるそれぞれの内側面および外側面には、これらを覆う透明フィルムまたは半透明フィルムからなるフィルム体と、このフィルム体を昇降可能に吊設するフィルム昇降手段とを有していてもよい。
【００１２】
また、本考案の一態様として、強い太陽光によってハウス内の農作物育成環境を制御するのが難しいという課題を解決するために、前記側面骨組構造および／または前記屋根骨組構造における内側面には、開閉可能な遮光カーテンが設けられていてもよい。
【００１３】
さらに、本考案の一態様として、地中熱によって調整された農作物の室温環境を保持したいという課題を解決するために、前記側面骨組構造および／または前記屋根骨組構造における内側面には、開閉可能な断熱カーテンが設けられていてもよい。
【００１４】
さらにまた、本考案の一態様として、基礎構造近傍における気密性の低下という課題を解決するために、前記側面骨組構造の内側面には、昇降可能に吊設されているとともに、降下させた状態において地表面を覆うことが可能な長さに形成された保温垂れカーテンが設けられていてもよい。
【考案の効果】
【００１５】
本考案によれば、ランニングコストをかけずに地中熱を利用して、農作物の成長等のニーズに応じた室内温度調整を行うことができる。
【図面の簡単な説明】
【００１６】
【図１】本考案に係る簡易型ハウスの一実施形態を長辺側面方向から見た図である。
【図２】本実施形態の簡易型ハウスを短辺側面方向から見た図である。
【図３】本実施形態における簡易型ハウスを短辺側面を室内側から見た図である。
【図４】本実施形態における基礎杭を示す断面図である。
【図５】本実施形態における熱交換パイプを示す断面図である。
【図６】本実施形態におけるフィルタ体および各種カーテンの設置状況を示す模式図である。
【図７】本実施形態における基礎杭および熱交換パイプ内を循環する熱交換液の流れを示す断面模式図である。
【考案を実施するための形態】
【００１７】
以下、本考案に係る簡易型ハウスの一実施形態について図面を用いて説明する。
【００１８】
本実施形態の簡易型ハウス１は、簡易的な骨組構造を有しており、図１乃至図３に示すように、主に、構造上の基礎となる基礎構造２と、側面の骨組みとなる側面骨組構造３と、屋根の骨組みとなる屋根骨組構造４と、前記側面骨組構造３および前記屋根骨組構造４を覆うフィルム体５と、前記簡易型ハウス１内の農作物の育成環境を維持する各種カーテン６，７，８とを有している。
【００１９】
基礎構造２は、簡易型ハウス１の基礎となるものであり、任意の設置場所における外縁に沿って設置され、本実施形態では、地中に埋設される複数本の基礎杭２１を有している。本実施形態における設置場所は略長方形状の土地であり、図１および図２に示すように、前記基礎杭２１は当該設置場所の長辺側の両側縁に沿って等間隔に埋設されている。
【００２０】
本実施形態における基礎杭２１は、基礎の機能を果たすとともに、地中熱を採取する機能をも果たすものであり、図４に示すように、基礎外装管２２と、この基礎外装管２２内に配置される基礎内装管２３とを備えている。
【００２１】
基礎外装管２２は、簡易型ハウス１の基礎となる杭として機能するものであり、前記簡易型ハウス１の重量や土砂から受ける押圧に耐え得るように、鋼やアルミニウム等の金属やＦＲＰ等の高強度を備える合成樹脂等によって形成されている。また、当該基礎外装管２２は、地中熱を採取する熱交換液を通水可能とするため中空の管形状に形成されているとともに、前記熱交換液が地中に漏れ出ないように有底に形成されている。さらに、基礎外装管２２の下端は、地中に埋設される際に地中に刺さり易くするため、先鋭状に形成されている。
【００２２】
なお、基礎外装管２２は、図示しないが、引き抜く力や押し付ける力等の上下方向の力に対して耐力を強くするために螺旋状形に形成されていてもよく、当該螺旋形状はねじ込む際の摩擦抵抗を低減させるため同一半径で同一ピッチに形成されていてもよい。
【００２３】
基礎内装管２３は、基礎外装管２２内に配置されることで前記基礎外装管２２とともに二重管構造を構成するものである。基礎内装管２３は、図４に示すように、その下端側で前記基礎外装管２２と通水可能に連通するための連通孔２４が形成されている。本実施形態における基礎内装管２３は、ポリエチレンパイプ等の合成樹脂によって形成されており、その柔軟性によって前記基礎外装管２２内に挿入し易くしているいとともに、高い断熱性により前記基礎外装管２２内を通水する熱交換液と当該基礎内装管２３内を通水する熱交換液との断熱を行っている。
【００２４】
なお、基礎内装管２３は、ポリエチレンパイプに限定されるものではなく、断熱性能の高い素材から適宜選択してよい。
【００２５】
次に、側面骨組構造３について説明する。側面骨組構造３は、基礎構造２に沿って地上に設置される骨組みであり、簡易型ハウス１における壁の支柱となるものである。本実施形態における側面骨組構造３は、設置場所の長辺側の両側縁に沿って設けられる長辺側面骨組構造３１と、設置場所の短辺側の両側縁に沿って設けられる短辺側面骨組構造３２とを有する。
【００２６】
長辺側面骨組構造３１は、図１に示すように、略垂直状に立設されて主に支柱として機能する縦骨３３と、この縦骨３３に対して略水平状に固定される横骨３４とを有する。
【００２７】
縦骨３３は、管材、アングル材、角材等の骨材からなり、図１および図２に示すように、設置場所の長辺側面に沿って略等間隔に配置されている。また、本実施形態における縦骨３３は、支柱としてのみ機能する支柱骨材３３と、支柱とともに熱交換パイプ９としても機能する熱交換用骨材９１とが交互に配置されている。支柱骨材３３は、ビニールハウスとして用いられる一般的な管材である。一方、熱交換用骨材９１は、熱交換パイプ９として使用するため支柱骨材３３より大径に形成されている管材である。熱交換パイプ９の詳細な説明は後述する。
【００２８】
横骨３４は、縦骨３３と同様、アングル材、角材等の骨材からなり、前記縦骨３３が長辺方向に対して傾倒しないように前記縦骨３３同士を連結している。本実施形態における横骨３４は、ビニールハウスとして用いられる一般的な管材である。
【００２９】
短辺側面骨組構造３２は、図２に示すように、長辺側面骨組構造３１と同様、略垂直状に立設される複数本の縦骨３３と、これら縦骨３３に対して略水平状に固定される複数本の横骨３４とを有する。また、略中央位置には、出入口となる扉体３５が開閉自在に設置されている。本実施形態における縦骨３３、横骨３４および扉体３５は、ビニールハウスとして用いられる一般的な管材等で構成されている。
【００３０】
屋根骨組構造４は、側面骨組構造３の上に設置されて屋根の骨組みとなるものである。屋根骨組構造４は、図１および図２に示すように、主に、長辺側面骨組構造３１の上縁から頂部に向けて傾斜する複数本の傾斜骨４１と、これら傾斜骨４１を相互に連結する横骨４２と、頂部において略水平状に配置される梁骨４３とを有する。
【００３１】
傾斜骨４１は、長辺側面骨組構造３１と同様、アングル材、角材等の骨材で構成されている。本実施形態における傾斜骨４１は、図１および図２に示すように、長辺側面骨組構造３１の縦骨３３に連結、または一体的に形成されている。ここで熱交換用骨材９１と接続される傾斜骨４１は、前記熱交換用骨材９１と同様、熱交換パイプ９としても機能する。
【００３２】
横骨４２は、アングル材、角材等の骨材からなり、図１に示すように、前記傾斜骨４１同士を連結している。
【００３３】
梁骨４３は、屋根骨組構造４の頂部になるものであり、長尺状の板材または棒材からなる。本実施形態における梁骨４３は、図２に示すように、２枚の板材によって構成されており、一方の梁骨４３は一方の長辺側面側から連続する傾斜骨４１に接続され、他方の梁骨４３は他方の長辺側面側から連続する傾斜骨４１に接続される。そして、各梁骨４３，４３は、屋根骨組構造４の頂部においてボルト等によって連結される。
【００３４】
次に、熱交換パイプ９について説明する。熱交換パイプ９は、地中熱によって加熱または冷却された熱交換液と地上の外気温等によって加熱または冷却された熱交換液との比重差によって生ずる自然対流によって、前記熱交換液を循環させるものである。よって、熱交換パイプ９は、自然対流を生じさせ得るように以下の構成を有する。
【００３５】
熱交換パイプ９は、図５に示すように、主に、基礎外装管２２に接続される地上外装管９１と、前記基礎内装管２３に接続される地上内装管９２とを有する。
【００３６】
地上外装管９１は、地上において熱交換液を通水させる管であり、基礎外装管２２に通水可能に接続されている。地上外装管９１は、地上の所定の高さまで形成されており、前記基礎外装管２２によって加熱または冷却された熱交換液を地上に供給するようになっている。本実施形態における地上外装管９１は、図１および図２に示すように、前記基礎外装管２２と略同径に形成されているとともに基礎外装管２２との接続部から頂部の梁骨４３の高さまで延出されており、側面骨組構造３および屋根骨組構造４を構成する骨組みの一部としても機能する。
【００３７】
地上内装管９２は、地上において熱交換液を通水させる管であり、地上外装管９１内に内装されているとともに基礎内装管２３に通水可能に接続される。また、地上内装管９２は、上端側が開口されており、前記地上外装管９１内と連通されている。本実施形態における地上内装管９２は、図５に示すように、基礎内装管２３との接続部から頂部近傍まで延出されている。さらに、地上内装管９２は、基礎内装管２３と同様、柔軟性が高く、かつ断熱性の高いポリエチレンパイプ等の合成樹脂によって形成されている。
【００３８】
熱交換液は、地中熱を地中から地上へと輸送する媒体であって、水や不凍液等が採用される。この熱交換液は、基礎杭２１内および熱交換パイプ９内に満たされており、自由に流通できるようになっている。
【００３９】
次に、フィルム体５および各種カーテン６，７，８について説明する。
【００４０】
フィルム体５は、ビニール製等のフィルムであり、図６に示すように、側面骨組構造３および屋根骨組構造４におけるそれぞれの内側面および外側面を覆うことで、室内と室外とを隔てるとともに、相互間に中空空間を形成するものである。このフィルム体５は、太陽光を透過させるために、透明または半透明に形成されている。また、フィルム体５は、フィルム昇降手段５１によって昇降可能に吊設されている。
【００４１】
フィルム昇降手段５１は、フィルム体５を昇降可能に吊設するものであり、本実施形態では、図１および図２に示すように、長辺側面骨組構造３１の上端近傍および屋根骨組構造４の上端近傍に設けられている。また、フィルム昇降手段５１は、回転自在に軸支された棒状部材を備えており、この棒状部材をハンドル（図示しない）によって回転させることにより、前記フィルム体５をロール状に巻き付けるようになっている。
【００４２】
なお、フィルム昇降手段５１は、棒状部材によって巻き上げるものに限定されるものではなく、フィルム体５を蛇腹状に折り畳むことで昇降させる機構等から適宜選択してもよい。
【００４３】
遮光カーテン６は、簡易型ハウス１に入射する太陽光の光量を調整して適度な農作物の育成環境を維持するものであり、太陽光等の光を遮断可能な布材によって形成されている。本実施形態における遮光カーテン６は、図３および図６に示すように、短辺側面骨組構造３２の扉体３５の上方から吊設されている。遮光カーテン６は、金属線を内装させた帯状の紐等によって巻き上げた状態で固定できるようになっている。なお、遮光カーテン６は、短辺側面骨組構造３２に設けられるものに限定されるものではなく、長辺側面骨組構造３１や屋根骨組構造４に設けられていてもよい。
【００４４】
断熱カーテン７は、室内と室外との断熱性能を高めることで適度な農作物の育成環境を維持するものであり、フィルム体５と合わせて二重、三重の断熱を行うものである。断熱カーテン７は、断熱性の高い布材等によって形成されており、本実施形態では、図３および図６に示すように、短辺側面骨組構造３２の扉体３５の上方から吊設されている。また。断熱カーテン７は、遮光カーテン６と同様、帯状の紐等によって巻き上げた状態で固定できるようになっている。なお、断熱カーテン７は、短辺側面骨組構造３２に設けられるものに限定されるものではなく、長辺側面骨組構造３１や屋根骨組構造４に設けられていてもよい。
【００４５】
保温垂れカーテン８は、断熱性とともに地面近傍における気密性を高めることで農作物の育成環境を維持するものであり、図６に示すように、降下させた状態において地表面を覆うことが可能な長さに形成された布等からなる。この保温垂れカーテン８は、図３および図６に示すように、短辺側面骨組構造３２の扉体３５の上方において昇降可能に吊設されている。また、保温垂れカーテン８は、遮光カーテン６や断熱カーテン７と同様、帯状の紐等によって巻き上げた状態で固定できるようになっている。なお、保温垂れカーテン８は、短辺側面骨組構造３２に設けられるものに限定されるものではなく、長辺側面骨組構造３１に設けられていてもよい。
【００４６】
次に、本実施形態の簡易型ハウス１における各構成の作用について説明する。
【００４７】
基礎杭２１は、設置場所の外縁に沿って、簡易型ハウス１を支持し得る深さでかつ地中熱を十分に確保できる深さに埋設される。この地中に埋設された基礎杭２１では、外気温に比べて地中の温度が高いときには内部に満たされている熱交換液を加熱し、外気温に比べて地中の温度が低いときには内部に満たされている熱交換液を冷却する。
【００４８】
熱交換パイプ９では、基礎杭２１によって加熱または冷却された熱交換液を地上で循環させる。例えば、冬季のように外気温に比べて地中の温度が高いときには、地上外装管９１は、図７に示すように、基礎外装管２２内において加熱されて比重が軽くなった熱交換液をその上端まで上昇させる。熱交換液の上昇によって、地上外装管９１の上端の圧力は上昇するとともに、基礎外装管２２の下端における圧力は低下する。そして、圧力が上昇した地上外装管９１の上端の熱交換液は、逃げ道となる地上内装管９２へと移動し、基礎内装管２３の下端から押し出されるとともに、基礎外装管２２内の負圧によって引き出されることで、連通孔２４から前記基礎外装管２２の下端に排出される。
【００４９】
上記循環において、熱交換液は地中から地上へ上昇するときの流路と、地上から地中へ下降するときの流路とが異なることから、温度の異なる熱交換液同士が混ざり合うことがない。また、地上内装管９２および基礎内装管２３に断熱性の高い素材を用いていることから、上昇する熱交換液と下降する熱交換液との熱が相互に伝わりづらくなっている。よって、熱交換液の温度は、地上外装管９１内において常に外気温よりも高くなり、簡易型ハウス１内を暖める。
【００５０】
また、夏季のように外気温に比べて地中の温度が低いときには、地上外装管９１は、図７に示すように、外気温によって加熱されて比重が軽くなった熱交換液をその上端まで上昇させる。熱交換液の上昇によって、地上外装管９１の上端の圧力は上昇するとともに、基礎外装管２２の下端における圧力は低下する。圧力が上昇した地上外装管９１の上端の熱交換液は、逃げ道となる地上内装管９２に移動し、基礎内装管２３の下端では押し出されるように連通孔２４から基礎外装管２２の下端に排出される。そして、基礎外装管２２の下端において熱交換液は冷却され、地上外装管９１における熱交換液の上昇に引っ張られるように上昇する。
【００５１】
上記循環において、熱交換液は、冷却された状態で地上に供給されるため、地上において常に外気温よりも低くなる。よって、熱交換液は、簡易型ハウス１内を冷却することができる。  
【００５２】
なお、本実施形態における熱交換液の循環方向は、基礎杭２１で加熱または冷却される熱交換液の比重と地上の熱交換パイプ９で加熱または冷却される熱交換液の比重との差に応じて、図７に示す矢印の方向と逆方向になることもあり得るが、いずれの方向に循環する場合であっても、熱交換液は常に基礎杭２１を通過して加熱または冷却されるため、地上において簡易型ハウス１内の暖房または冷却を行うことができる。
【００５３】
フィルム体５では、簡易型ハウス１の気密および断熱を行う。本実施形態におけるフィルム体５は、側面骨組構造３および屋根骨組構造４における内側面および外側面の両面に設けられており、その間に中空空間が形成されているため外気温は直接室内には伝わらない。特に、中空空間には、空気層が構成されており、魔法瓶のような外気温の伝わりにくい高断熱の断熱層が形成される。よって、簡易型ハウス１は、断熱性能が高く、熱を外部に逃がさない構造で覆われた状態となる。
【００５４】
フィルム昇降手段５１では、フィルム体５の下縁部を巻き上げる。これにより側面骨組構造３および屋根骨組構造４にフィルム体５で覆われていない開口部が開口する。これにより、猛暑等で室内の温度が上昇し過ぎたときの温度管理や湿度管理等のために、適宜外気を導入することができる。
【００５５】
遮光カーテン６では、簡易型ハウス１に入射する太陽光を遮断し、室内温度が必要以上に上昇しないようにしたり、農作物に対し過度に直射日光が当たらないようにしてして、農作物の適度な育成環境を維持する。
【００５６】
また、断熱カーテン７では、フィルム体５とともにさらなる断熱性能を向上させる。本実施形態では、地中熱を熱交換液の自然対流によって行っているため、灯油ボイラー等の直接空気を暖める暖房に比べて、室内温度を高める速度は遅い。そこで、断熱カーテン７は、断熱性をより高めることで、自然対流によって地中熱を供給しても、十分な暖冷房効果を得ることができるようにしている。
【００５７】
保温垂れカーテン８では、垂れ下げた部分が側面骨組構造３の下部を覆うため、内側面は常に保温垂れカーテン８で覆われた状態を維持する。よって、本実施形態の簡易型ハウス１では、一定の気密性能を維持することができる。
【００５８】
以上のような本実施形態の簡易型ハウス１によれば、以下の効果を得ることができる。
１．天候不順等による農作物のバラツキを抑制し、計画的な作物の育成を行うことができる。
２．地中熱を熱交換液の自然対流によって地中から地上へと供給するため、ランニングコストをかけずに簡易型ハウス１の室内温度管理を行うことができる。
３．二重、三重にビニールフィルムや布材等で覆い、遮光性、断熱性および気密性を高めているため、自然対流によって供給される地中熱でも十分な温度管理を行うことができる。
【００５９】
なお、本考案に係る簡易型ハウスは、前述した実施形態に限定されるものではなく、適宜変更することができる。
【００６０】
例えば、図示しないが、側面骨組構造３の骨材として長尺状のリップ型溝鋼を採用し、フィルム体５を溝に嵌め入れて固定できるようにしてもよい。
【符号の説明】
【００６１】
１  簡易型ハウス
２  基礎構造
３  側面骨組構造
４  屋根骨組構造
５  フィルム体
６  遮光カーテン
７  断熱カーテン
８  保温垂れカーテン
９  熱交換パイプ
２１  基礎杭
２２  基礎外装管
２３  基礎内装管
２４  連通孔
３１  長辺側面骨組構造
３２  短辺側面骨組構造
３３  縦骨（支柱骨材）
３４  横骨
３５  扉体
４１  傾斜骨
４２  横骨
４３  梁骨
５１  フィルム昇降手段
９１  地上外装管（熱交換用骨材）
９２  地上内装管
【図１】
0003203197.tif 000003
【図２】
0003203197.tif 000004
【図３】
0003203197.tif 000005
【図４】
0003203197.tif 000006
【図５】
0003203197.tif 000007
【図６】
0003203197.tif 000008
【図７】
0003203197.tif 000009